(57)【要約】【課題】複数のモジュールの組み合わせにおいて、電磁干渉を抑制する技術を提供する。【解決手段】本発明は、導電性を有する導電ベゼルに装着される表示モジュールを提供する。表示モジュールは、表示パネルと、表示パネルの駆動を行うための駆動信号を表示パネルに送信する駆動基板と、駆動基板の導電ベゼルへの接地状態を可変に設定可能な接地状態設定部材と、を備える。表示モジュールが装着される相手側モジュールとの間に発生する相互作用に応じて、接地状態を変更することによって完成品としての電磁適合性を容易に満足させることができる。【選択図】図６
2010122525.tif 000002
【特許請求の範囲】
【請求項１】
導電性を有する導電ベゼルに装着される表示モジュールであって、
表示パネルと、
前記表示パネルの駆動を行うための駆動信号を前記表示パネルに送信する駆動基板と、
前記駆動基板の前記導電ベゼルへの接地状態を可変に設定可能な接地状態設定部材と、
を備える表示モジュール。
【請求項２】
請求項１記載の表示モジュールであって、
前記接地状態設定部材は、導電性を有する導電ガスケットと、絶縁フィルムと、を有し、
前記導電ガスケットは、前記駆動基板に電気的に接続されており、
前記絶縁フィルムは、少なくとも前記導電ベゼルと前記接地状態設定部材の接合面において、前記導電ガスケットに対して少なくとも一部が除去可能に装着されている表示モジュール。
【請求項３】
請求項２記載の表示モジュールであって、
前記導電ガスケットは、発泡性の弾性部材に接着剤を含浸させた心材と、前記心材を包囲する導電布とを有し、
前記接着剤は、前記絶縁フィルムの前記取り外しによって前記導電ベゼルに接着する表示モジュール。
【請求項４】
請求項３記載の表示モジュールであって、
前記接着剤は、導電性を有する導電性接着剤である表示モジュール。
【請求項５】
請求項２ないし４のいずれかに記載の表示モジュールであって、
前記絶縁フィルムには、部分的な除去を行うための複数の切込みが形成されている表示モジュール。
【請求項６】
請求項１ないし５のいずれかに記載の表示モジュールであって、
前記駆動基板は、ソースドライバ基板である表示モジュール。
【請求項７】
表示装置であって、
導電性を有する導電ベゼルと、
請求項１ないし６のいずれかに記載の表示モジュールと、
を備える表示装置。
【請求項８】
導電性を有する導電ベゼルに装着するための表示モジュールと接着剤の組み合わせであって、
請求項１ないし６のいずれかに記載の表示モジュールと、
前記導電ガスケットと前記導電ベゼルとを接着するための導電性を有する導電性接着剤と、
を含む組み合わせ。
【請求項９】
表示装置であって、
導電性を有する導電ベゼルと、
請求項８記載の組み合わせと、
を備え、
前記導電ガスケットは、前記導電性接着剤によって前記導電ベゼルに接着されている表示装置。
【発明の詳細な説明】
【技術分野】
【０００１】
本発明は、表示装置、及びテレビ受信装置に関する。
【背景技術】
【０００２】
電気・電子製品の製品化に必要な国内外の規格（たとえばＶＣＣＩ、ＦＣＣ、ＥＮ、ＣＩＳＰＲ）に適合するためには、電磁波の発生が十分に小さいことをエミッション（ＥＭＩ）測定によって確認することが要請される。この電磁適合性確認では、製品の運用状態としての完成品において適合性の確認が要請されることになる一方、複数のモジュールを組み合わせて製品を製造する際には、各モジュールの設計においても電磁波の発生を抑制することが求められる。
【０００３】
しかし、複数のモジュールを組み合わせた際の有機的な相互作用による電磁干渉の問題は、相互作用の予測が困難であることからモジュール側で解決するための検討は十分に行われていなかった。
【特許文献１】特開２００２−１０７６９６号公報
【特許文献２】特開２００４−２９６６３号公報
【発明の開示】
【発明が解決しようとする課題】
【０００４】
本発明は、上述の従来の課題の少なくとも一部を解決するためになされたものであり、複数のモジュールの組み合わせにおいて、電磁干渉を抑制する技術を提供することを目的とする。
【課題を解決するための手段】
【０００５】
[適用例１]
導電性を有する導電ベゼルに装着される表示モジュールであって、
表示パネルと、
前記表示パネルの駆動を行うための駆動信号を前記表示パネルに送信する駆動基板と、
前記駆動基板の前記導電ベゼルへの接地状態を可変に設定可能な接地状態設定部材と、
を備える表示モジュール。
【０００６】
適用例１の表示モジュールは、駆動基板の導電ベゼルへの接地状態を可変に設定可能な接地状態設定部材を有するので、たとえば接地インピーダンスや接地ルートを自由に設定することができる。これにより、表示モジュールが装着される相手側モジュールとの間に発生する相互作用に応じて、接地状態を変更することによって完成品としての電磁適合性を容易に満足させることができる。
【０００７】
[適用例２]
適用例１の表示モジュールであって、
前記接地状態設定部材は、導電性を有する導電ガスケットと、絶縁フィルムと、を有し、
前記導電ガスケットは、前記駆動基板に電気的に接続されており、
前記絶縁フィルムは、少なくとも前記導電ベゼルと前記接地状態設定部材の接合面において、前記導電ガスケットに対して少なくとも一部が除去可能に装着されている表示モジュール。
【０００８】
適用例２の表示モジュールには、少なくとも導電ベゼルと接地状態設定部材（導電ガスケットと絶縁フィルムあるいは導電ガスケット）の接合面において、導電ガスケットに対して少なくとも一部が除去可能に装着されているので、表示モジュールの導電ベゼルへの接地／非接地（絶縁）を簡易に設定することができる。具体的には、表示モジュールと他のモジュールとの相互作用によって接地した方が電磁干渉を小さくすることができるときには、絶縁フィルムを剥がすことによって簡易に接地状態とすることができる一方、絶縁した方が電磁干渉を小さくすることができるときには、絶縁フィルムを装着したままとして簡易に絶縁状態とすることができる。「少なくとも一部が除去可能」とは、全体が除去可能な構成であっても良いし、あるいは一部だけが除去可能な構成であっても良いことを意味する。
【０００９】
[適用例３]
適用例２の表示モジュールであって、
前記導電ガスケットは、発泡性の弾性部材に接着剤を含浸させた心材と、前記心材を包囲する導電布とを有し、
前記接着剤は、前記絶縁フィルムの前記取り外しによって前記導電ベゼルに接着する表示モジュール。
【００１０】
適用例３の表示モジュールは、絶縁フィルムの除去によって導電ベゼルに接着することができるので、接地した方が電磁干渉を小さくすることができるときにおいて高い信頼性で接地することができる。
【００１１】
[適用例４]
適用例３の表示モジュールであって、
前記接着剤は、導電性を有する導電性接着剤である表示モジュール。
【００１２】
適用例４の表示モジュールは、導電性接着剤を使用して接地抵抗（あるいは接地インピーダンス）を小さくすることができるので、接地状態の変更幅（接地から絶縁までの幅）を大きくすることができる。
【００１３】
[適用例５]
適用例２ないし４のいずれかの表示モジュールであって、
前記絶縁フィルムには、部分的な除去を行うための複数の切込みが形成されている表示モジュール。
【００１４】
適用例５の表示モジュールは、絶縁フィルムに部分的な除去を行うための複数の切込みが形成されているので、絶縁フィルムの一部を選択的に容易に除去することができる。これにより、駆動基板から導電ベゼルへの接地状態としての接地ルートを簡易かつ自由に設定することができるので、製造ラインにおける電磁干渉抑制の自由度を簡易に拡大することができる。
【００１５】
[適用例６]
適用例１ないし５のいずれかの表示モジュールであって、
前記駆動基板は、ソースドライバ基板である表示モジュール。
【００１６】
適用例６の表示モジュールは、ゲートドライバ基板よりも電位や電流の変動が激しいソースドライバ基板から導電ベゼルへの接地状態を簡易かつ自由に設定することができるので、顕著な効果を奏することができる。
【００１７】
なお、本発明は、上記以外の種々の形態で実現可能であり、たとえば、表示モジュールと接着剤の組み合わせ、これらを有する表示装置や、このような表示装置を備えるテレビ受信装置などの形態で実現することが可能である。
【発明の効果】
【００１８】
本発明によれば、複数のモジュールの組み合わせにおいて、電磁干渉を抑制する技術を提供することができる。
【発明を実施するための最良の形態】
【００１９】
次に、本発明の実施の形態を実施例に基づいて以下の順序で説明する。
Ａ．液晶表示装置の概略構成：
Ｂ．内部接地の構成：
Ｃ．変形例：
【００２０】
Ａ．液晶表示装置の概略構成：
本発明の実施形態を図１ないし図６によって説明する。本実施形態では、液晶表示装置１０を備えるテレビ受信装置ＴＶについて例示する。図１は本実施形態に係るテレビ受信装置の概略構成を示す分解斜視図、図２は液晶表示装置の概略構成を示す分解斜視図、図３は図２の液晶表示装置の短辺方向に沿った断面構成を示す断面図である。
【００２１】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、テレビ放送などを受信するためのチューナーＴと、スタンドＳとを備えて構成される。液晶表示装置（表示装置）１０は、図２に示すように、表示パネルである液晶パネル１１と、外部光源であるバックライト装置１２とを備え、これらがベゼル１３などにより一体的に保持されるようになっている。本実施形態では、液晶表示装置（表示装置）１０は、全体として横長の方形をなし、縦置き状態、つまり液晶パネル１１のパネル面１１ｃが鉛直方向とほぼ平行をなす形で使用される（図１参照）。なお、本実施形態のベゼル１３（特許請求の範囲の「導電ベゼル」の一例）は、導電性を有し、液晶パネル１１およびバックライト装置１２（特許請求の範囲の「表示モジュール」の一例）等からの高周波ノイズの処理を可能としている。
【００２２】
次に、液晶表示装置１０を構成する液晶パネル１１及びバックライト装置１２について説明する（図２及び図３参照）。バックライト装置１２は、所謂直下型のバックライト装置であって、液晶パネル１１のパネル面１１ｃ（すなわち表示面）の背面直下に、当該パネル面１１ｃに沿って光源（ここでは高圧放電管として冷陰極管１７を用いている）を複数具備した構成となっている。
【００２３】
さらに、バックライト装置１２は、上面側に開口１４ｂを有した略箱型をなすシャーシ１４と、シャーシ１４の開口１４ｂを覆うようにして取り付けられる光学部材１５（拡散板１５ａ及び光学シート１５ｂ）と、この光学部材１５をシャーシ１４に保持するためのフレーム１６とを備える。さらに、シャーシ１４内には、冷陰極管１７と、冷陰極管１７をシャーシ１４に取り付けるためのランプクリップ１８（図３では図示せず）と、冷陰極管１７の端部を支持するランプホルダ１９と、冷陰極管１７群の端部及びランプホルダ１９を一括して覆うホルダ２０とを備える。なお、当該バックライト装置１２においては、冷陰極管１７よりも拡散板１５ａ側が光出射側となっている。
【００２４】
シャーシ１４は、金属板金により形成された導電性を有するものとされ、矩形状の底板部１４ａとその長辺から立ち上がる側板とからなる浅い略箱型に形成されている。シャーシ１４の長辺側の側板は、底板部１４ａから外側へ傾斜した形で立ち上がるものとされている。このシャーシ１４には、冷陰極管１７の光出射側とは反対側（シャーシ１４の底板部１４ａの内面側）に反射シート２１が配設され、これにより光反射面が形成されている。なお、シャーシ１４の底板部１４ａは、液晶パネル１１と略平行をなすものとされている。
【００２５】
反射シート２１は、合成樹脂製とされ、その表面が光反射性に優れた白色とされており、図３に示すように、シャーシ１４の内面に沿ってそのほぼ全域を覆うように敷かれて一体化され、シャーシ１４の壁面を構成している。この反射シート２１により、冷陰極管１７から出射された光を光学部材１５側に反射させることが可能となっている。また、シャーシ１４のうち冷陰極管１７及び反射シート２１が配設された側と反対側の面（シャーシ１４の底板部１４ａの外面）には、液晶パネル１１の駆動を制御する制御基板３０が取り付けられている。
【００２６】
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図２参照）。冷陰極管１７は、白色を呈する合成樹脂製のランプクリップ１８に把持されることで、シャーシ１４（反射シート２１）との間に僅かな間隙が設けられた状態とされている。各冷陰極管１７の端部はランプホルダ１９に嵌め込まれ、これらランプホルダ１９を被覆するようにホルダ２０が取り付けられている。
【００２７】
ホルダ２０は、白色を呈する合成樹脂製とされ、シャーシ１４の短辺方向に沿って延びる細長い略箱型をなしている（図２参照）。当該ホルダ２０は、その表面側に拡散板１５ａを載置可能な階段状面を有するものとされている。
【００２８】
一方、シャーシ１４の開口１４ｂ側には拡散板１５ａ及び光学シート１５ｂが配設されている。拡散板１５ａは、合成樹脂製の板状部材に光散乱粒子が分散配合されてなり、線状光源たる冷陰極管１７から出射される線状の光を拡散する機能を有する。拡散板１５ａの短辺縁部は上記したようにホルダ２０の階段面上に載置され、長辺縁部はシャーシ１４の側板の縁部に載置されている。
【００２９】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの周縁部の上面側にはフレーム１６が設置され、当該フレーム１６とベゼル１３に挟持されるようにして液晶パネル１１が配置されている。
【００３０】
続いて、液晶パネル１１について説明する。図４は液晶パネルに備わるアレイ基板の拡大平面図、図５は液晶パネル及びこれに接続されたドライバ基板の平面図である。液晶パネル１１は、シャーシ１４の底板部１４ａと略平行をなす形で取り付けられるものとされ、図３に示すように、横長な矩形状をなす一対の透明な（透光性を有する）ガラス製の基板４１，４２と、両基板４１，４２間に封入され、電界印加に伴って光学特性が変化する液晶層４３とを備えている。両基板４１，４２は、互いに対向するとともに、その間に所定のギャップ（間隔）を空けた状態で貼り合わされており、その間隙に挟持された液晶層４３は、シール剤によって取り囲まれて液密状態が保持されている。
【００３１】
両基板４１，４２は、表側（正面側、表示側）がＣＦ基板４１とされ、裏側（背面側）がアレイ基板４２とされる。アレイ基板４２には、透明な（透光性を有する）ガラス基板の内面側（液晶層４３側、ＣＦ基板４１との対向面側）に、図４に示すように、スイッチング素子であるＴＦＴ４４及び画素電極４５が多数個並んで設けられている。これらＴＦＴ４４及び画素電極４５の周りには、ゲート配線４６及びソース配線４７が格子状をなして配設されている。これらのうち、画素電極４５はＴＦＴ４４のドレイン電極に、ソース配線４７はＴＦＴ４４のソース電極に、ゲート配線４６はＴＦＴ４４のゲート電極にそれぞれ接続されている。画素電極４５は、ＩＴＯ（Indium
Tin Oxide）或いはＺｎＯ（Zinc Oxide）といった透明電極からなる。
【００３２】
アレイ基板４２のうち、画素電極４５が配置された部分が表示領域（アクティブ領域）とされ、その外側の外周部分（額縁部分）が非表示領域とされる。この外周部分のうち一方の長辺及び短辺において、図５に示すように、各配線４６，４７の端部と、概ね薄膜状をなした可撓性を有するＬＣＤドライバ５０の一方の端部とが接続されている。具体的には、ＬＣＤドライバ５０は、液晶パネル１１における使用時の鉛直方向下辺１１ａに所定間隔を空けて１０枚並んで配置されるとともに、液晶パネル１１における左側辺１１ｂにも同様の態様で６枚並んで配置されている。かかるＬＣＤドライバ５０は、薄膜状のフィルム５１上に導電路がプリントされるとともにＬＳＩチップ等のドライバ５２が実装された構成とされている。このドライバ５２は、所定の厚さを有しており、ＬＣＤドライバ５０においてその表面から部分的に突出している。なお、ＬＣＤドライバ５０としては、ＳＯＦ（System
On Film）やＴＣＰ（Tape Carrier Package）と称されるものが用いられる。
【００３３】
ＬＣＤドライバ５０のうち、液晶パネル１１と接続された端部とは反対側の端部には、液晶パネル１１の駆動を行うための駆動信号を送信するドライバ基板（駆動基板）６０が接続されている。なお、ＬＣＤドライバ５０は、アレイ基板４２やドライバ基板６０に対して異方性導電接着剤（ＡＣＦ；Anisotropic
Conductive Film）を介して圧着接続されている。ドライバ基板６０は、さらに後に詳述する制御基板３０と接続されており、当該制御基板３０から供給される制御信号に基づいて駆動信号を発信し、当該駆動信号をＬＣＤドライバ５０を介して液晶パネル１１の各配線４６，４７に供給することが可能とされている。
【００３４】
詳しくは、ドライバ基板６０は、細長い矩形の板状をなしており、合成樹脂製の基板上にコンデンサや抵抗などの電子部品が実装されるとともに導電路がプリントされ、その導電路の端部（ドライバ基板６０の一方の長辺縁部）にＬＣＤドライバ５０の端部が接続される。さらに、ドライバ基板６０のうち、ＬＣＤドライバ５０が接続された側とは反対側の端部、ここではドライバ基板６０の他方の長辺縁部の一端部には、制御基板３０に設けられたコネクタ３３と接続されるコネクタ接続部６１が形成されている。このコネクタ接続部６１は、８０ｐｉｎの接点が並列した構成とされている。なお本実施形態では、コネクタ接続部６１は、並んで配置される２枚のドライバ基板６０において、それぞれ近い側の端部に設けられるものとされており、これにより、その接続先である制御基板３０の大きさを可能な限り小さいものとすることができる。ドライバ基板６０のうち、液晶パネル１１における鉛直方向下辺（長辺）１１ａ側に配されるものがソースドライバ基板６０Ｓとされ、液晶パネル１１における左側辺（短辺）１１ｂ側に配されるものがゲートドライバ基板６０Ｇとされる。
【００３５】
ソースドライバ基板６０Ｓは、その長辺方向を液晶パネル１１の鉛直方向下辺１１ａの延びる方向と一致させて、当該鉛直方向下辺１１ａとの間に所定の間隔（ＬＣＤドライバ５０の長さより小さい間隔）を空けて離間した位置に２枚配されている。各ソースドライバ基板６０Ｓは、ソース配線４７の端部に接続され液晶パネル１１から鉛直方向に延びる５枚のＬＣＤドライバ５０と接続され、当該ＬＣＤドライバ５０を介して液晶パネル１１の駆動を行うためのソース信号を液晶パネル１１に供給する。ソースドライバ基板６０Ｓは、接地状態設定部材９０を備えている。接地状態設定部材９０は、ベゼル１３への接地状態（接地や絶縁）を可変に設定するための部材である。接地状態設定部材９０の詳細については後述する。なお、接地状態設定部材９０は、本実施形態では、ソースドライバ基板６０Ｓの全長に渡って装着されているが、少なくとも一部に装着されていれば良い。
【００３６】
ゲートドライバ基板６０Ｇは、その長辺方向を液晶パネル１１の左側辺１１ｂの延びる方向と一致させて、当該左側辺１１ｂとの間に所定の間隔（ＬＣＤドライバ５０の長さより小さい間隔）を空けて離間した位置に２枚配されている。各ゲートドライバ基板６０Ｇは、ゲート配線４６の端部に接続され液晶パネル１１から水平方向に延びる３枚のＬＣＤドライバ５０と接続され、当該ＬＣＤドライバ５０を介して液晶パネル１１の駆動を行うためのゲート信号を液晶パネル１１に供給する。
【００３７】
一方、アレイ基板４２と対向して配されるＣＦ基板４１には、アレイ基板４２側の画素電極４５と対向する対向電極（図示せず）が設けられるとともに、各画素に対応した位置にカラーフィルタ（図示せず）が多数個並んで設けられている。カラーフィルタは、Ｒ（赤色），Ｇ（緑色），Ｂ（青色）の三色が交互に並ぶ態様とされる。ＣＦ基板４１は、アレイ基板４２のうちＬＣＤドライバ５０と接続される部分が露出するよう、アレイ基板４２よりも一回り小さい大きさとされる。また、両基板４１，４２の外面側（液晶層４３とは反対側）には、それぞれ表裏一体の偏光板４８ａ，４８ｂが配されている（図３参照）。
【００３８】
図６は、液晶表示装置１０の端部における電気的接続と接地の構成を示す断面図である。制御基板３０とソースドライバ基板６０Ｓは、ソースドライバ基板６０Ｓのコネクタ接続部６１Ｓが、制御基板３０のコネクタ３３に差し込まれることで電気的に接続される。ソースドライバ基板６０Ｓは、各走査線の各画素の電位を制御するので、ゲートドライバ基板６０Ｇと比較して電位や電圧の変化が激しい。このため、本実施形態では、ソースドライバ基板６０Ｓのベゼル１３への接地を可能として、効果的に電磁適合性を向上させる構成としている。
【００３９】
Ｂ．内部接地の構成：
図６は、液晶表示装置１０のソースドライバ基板６０Ｓの接地状態をも示している。ソースドライバ基板６０Ｓは、接地状態設定部材９０を介してベゼル１３に接地可能に接続されている。接地状態設定部材９０は、導電性を有する導電ガスケット９１と、絶縁フィルム９２（たとえばＰＥＴフィルム）と、を有している。図６に示される形態は、絶縁フィルム９２が装着されているので、非接地の状態となっている。
【００４０】
導電ガスケット９１は、発泡性の弾性部材に接着剤を含浸させた心材９１ａと、心材９１ａを包囲する導電布９１ｂとを有している。接着剤は、絶縁フィルム９２の除去によって、溶媒（バインダー）の揮発で硬化する接着剤（たとえば溶液系接着剤や水分散系接着剤）を使用することが好ましい。接着剤は、ベゼル１３に対して高い信頼性と安定性における低抵抗接地を実現することができる。導電ガスケット９１は、導電布９１ｂを介してソースドライバ基板６０Ｓに電気的並びに構造的に接続されている。
【００４１】
なお、接着剤は、必ずしも導電ガスケット９１の心材９１ａに含浸させる必要はなく、液晶パネル１１と適切な接着剤の組み合わせとして供給するようにしても良い。また、接着剤の含浸は、必須の構成ではなく、たとえば図示しない導電シールや接着可能な導電布９１ｂで導電ガスケット９１を接着する構成としても良い。
【００４２】
絶縁フィルム９２は、ベゼル１３から導電ガスケット９１を絶縁できるような範囲（接地状態設定部材９０とベゼル１３の接合面）において除去可能に装着されている。このように、本構成は、導電性を有する導電ガスケット９１と絶縁性を有する絶縁フィルム９２の組み合わせを備えている。このような電気的に相反する性質を組み合わせた部材の装備は、当業者の技術的に常識に反するものである。
【００４３】
このように、当業者の技術常識に反する構成は、以下のような出願時の当業者が到底想到することができない効果を奏する。すなわち、ベゼル１３から導電ガスケット９１とを絶縁できる範囲において、導電ガスケット９１に対して取り外し可能に装着されているので、表示モジュールのベゼル１３への接地／非接地（絶縁）を簡易に設定することができるのである。
【００４４】
具体的には、液晶パネル１１およびバックライト装置１２（特許請求の範囲の「表示モジュール」の一例、本明細書では、液晶パネル１１等とも呼ばれる。）と、他のモジュール（たとえば電源ＰやチューナーＴ）との相互作用によって接地した方が電磁干渉を小さくすることができるときには、絶縁フィルムを剥がすことによって簡易に接地状態とすることができる一方、絶縁した方が電磁干渉を小さくすることができるときには、絶縁フィルムを装着したままとして簡易に絶縁状態とすることができる。なお、液晶パネル１１とバックライト装置１２とが別々のモジュールとして供給されるときには、液晶パネル１１が特許請求の範囲の「表示モジュール」の一例に含まれることになる。
【００４５】
このような相互作用は、液晶パネル１１等の配線と他のモジュールの配線の位置関係、電流や電位、周波数スペクトラムといった信号源の特性、相互インダクタンス、相互容量といった様々のパラメータによって複雑に変動することが本願発明者によって突き止められた。
【００４６】
具体的には、たとえば周波数スペクトラムは、比較的高周波領域の信号については、静電容量が大きなベゼル１３が効率的に吸収できるという性質を有する一方、比較的低周波領域の信号については、逆にベゼル１３がアンテナとして電波を発生させて逆効果となるといった問題が見出された。加えて、たとえば電磁干渉が静電誘導や電磁誘導といった複数のモードで発生し、接地インピーダンスの相違によって、これらのモードが遷移するといった電磁干渉モードの遷移といった定性的な変化も発生する。
【００４７】
このような定量的な変化だけでなく定性的な変化を含む問題の解析は極めて困難であるとともに、たとえば液晶パネル１１等の製造者と、液晶パネル１１等と他のモジュール（たとえば電源ＰやチューナーＴ）を組み合わせる製造者が相違する場合には、解決することが困難であった。特に、液晶パネル１１等の製造者が液晶パネル１１等と他のモジュールの相互作用を考慮した電磁干渉問題に立ち入ることは極めて困難であった。液晶パネル１１等の製造者は、他のモジュールの仕様や構成に関する情報を入手することが困難だからである。
【００４８】
しかし、本発明者は、液晶パネル１１等と他のモジュールの組み合わせにおいて、他のモジュールとの信号の送受信が比較的に多いソースドライバ基板６０Ｓと、他のモジュールのうちのベゼル１３という静電容量が比較的に大きな部品とが近接している構成が多い点に着目した。本発明者は、この着目点に基づいて、ベゼル１３との間に接地状態を可変に設定可能な接地状態設定部材９０を、ソースドライバ基板６０Ｓに装備するという構成を創作したのである。
【００４９】
この構成は、たとえば他のモジュールの（たとえば電源Ｐ（スイッチング電源））のスイッチングによる低周波信号が支配的であるときには、接地状態設定部材９０を絶縁状態として利用してベゼル１３がアンテナとして作用することを抑制することができる。一方、他のモジュール（たとえばチューナーＴ）の高周波信号が支配的であるときには、接地状態設定部材９０を低抵抗接地状態として積極的に利用してベゼル１３を高周波信号の吸収体として作用させることができる。
【００５０】
このような接地状態の仕様変更は、テレビ受信装置ＴＶの製造者側において、単に絶縁フィルム９２を装着したまま液晶パネル１１等を装着する手順とするか、あるいは除去して液晶パネル１１等を装着する手順とするか、の手順を最初に設定するだけである。最初の設定は、たとえば絶縁フィルム９２の装着と非装着で電磁干渉試験を行うことによって簡易に設定することができる。
【００５１】
このように、本実施例は、液晶パネル１１等と他のモジュールの組み合わせにおける相互作用に起因する電磁干渉問題を液晶パネル１１等の構成を工夫することによって極めて簡易に解決しているのである。
【００５２】
Ｃ．変形例：
以上、本発明のいくつかの実施形態について説明したが、本発明はこのような実施の形態になんら限定されるものではなく、その要旨を逸脱しない範囲内において種々なる態様での実施が可能である。特に、上記各実施例における構成要素中の独立請求項に記載された要素以外の要素は、付加的な要素なので適宜省略可能である。
【００５３】
上述の実施例において、上述の利点や効果の各々の全てが本願発明の必須の構成要件につながるものではなく、本願発明は、上述の利点や効果の各々を簡易に実現させる設計自由度を与えるものであって、少なくとも一つの利点あるいは効果を実現させるものであれば良い。
【００５４】
Ｃ−１．第１変形例：上述の実施例では、絶縁フィルムは、装着あるいは全体として除去の２者択一の選択肢が例示されているが、たとえば一部だけを非装着として所定のルートで電流を流すように構成しても良い。こうすれば、表示モジュールが装着される相手側モジュールとの間に発生する相互作用に応じて、接地状態を変更することによって完成品としての電磁適合性の規格を容易に満足させることができるという利点を有している。
【００５５】
なお、絶縁フィルムに部分的な除去を行うための複数の切込みを形成するようにしても良い。こうすれば、絶縁フィルムの一部を選択的に容易に除去することができるので、駆動基板から導電ベゼルへの接地状態としての接地ルートを簡易かつ自由に設定することができる。これにより、製造ラインにおける電磁干渉抑制の自由度を簡易に拡大することができる。ただし、本発明で使用可能な絶縁フィルムは、一般に、導電ガスケットに対して少なくとも一部が除去可能に装着されていれば良い。「少なくとも一部が除去可能」とは、全体が除去可能な構成であっても良いし、あるいは一部だけが除去可能な構成であっても良いことを意味する。
【００５６】
Ｃ−２．第２変形例：上述の実施例では、導電ガスケットと絶縁フィルムとを使用して接地状態設定部材を構成しているが、たとえば導電シールと絶縁フィルムとを使用して接地状態設定部材を構成するようにしても良い。本発明で使用可能な接地状態設定部材は、一般に、接地インピーダンスと接地ルートの少なくとも一方を可変に変更することができる構成、すなわち接地状態を可変に設定可能な構成であれば良い。なお、導電シールと絶縁フィルムとを使用する接地状態設定部材においても絶縁フィルムに複数の切込みを形成することによって上述の効果を奏することができる。
【００５７】
Ｃ−３．第３変形例：上述の実施例では、表示パネルとして液晶パネル１１を用いた場合を示したが、他の種類の表示パネル（例えばＰＤＰ、ＥＬパネルなど）を用いた表示装置にも本発明は適用可能である。さらに、上述の実施例では、スイッチング素子としてＴＦＴ４４を用いた場合を示したが、スイッチング素子がＭＩＭ（Metal
Insulator Metal）等、ＴＦＴ４４以外のものを用いた表示装置にも本発明は適用可能である。
【図面の簡単な説明】
【００５８】
【図１】本実施形態に係るテレビ受信装置の概略構成を示す分解斜視図。
【図２】液晶表示装置の概略構成を示す分解斜視図。
【図３】図２の液晶表示装置の短辺方向に沿った断面構成を示す断面図。
【図４】液晶パネルに備わるアレイ基板の拡大平面図。
【図５】液晶パネル及びこれに接続されたドライバ基板の平面図。
【図６】液晶表示装置１０の端部における電気的接続と接地の構成を示す断面図。
【符号の説明】
【００５９】
１０…液晶表示装置
１１…液晶パネル
１２…バックライト装置
１３…ベゼル
１４…シャーシ
１５…光学部材
１６…フレーム
１７…冷陰極管
１８…ランプクリップ
１９…ランプホルダ
２０…ホルダ
２１…反射シート
３０…制御基板
３３…コネクタ
４１…基板
４２…アレイ基板
４３…液晶層
４５…画素電極
４６…配線
４６…ゲート配線
４７…ソース配線
４８ａ…偏光板
５１…フィルム
５２…ドライバ
６０…ドライバ基板
６０Ｇ…ゲートドライバ基板
６０Ｓ…ソースドライバ基板
６１…コネクタ接続部
６１Ｓ…コネクタ接続部
９０…接地状態設定部材
９１…導電ガスケット
９１ａ…心材
９２…絶縁フィルム
９２ａ…導電布
Ｐ…電源
Ｔ…チューナー
Ｓ…スタンド
ＴＶ…テレビ受信装置
【図１】
2010122525.tif 000003
【図２】
2010122525.tif 000004
【図３】
2010122525.tif 000005
【図４】
2010122525.tif 000006
【図５】
2010122525.tif 000007
【図６】
2010122525.tif 000008